(57)【特許請求の範囲】
【請求項１】
ディスク状記録媒体の回転駆動機構及び記録情報の記録及び／又は再生を行うピックアップ機構を搭載したシャーシが、上記ディスク状記録媒体のローディング位置に対して移動機構により近接、離間移動されるようにフレームに取付けられて成るディスクドライブ装置であって、
上記シャーシには、上記移動機構と係合する係合部が形成されるとともに、上記移動機構には、上記シャーシと係合する被係合部が形成され、
上記シャーシに取付けられ、上記係合部と上記被係合部とが互いに係合する方向に上記シャーシを偏倚させる付勢手段を備えることを特徴とするディスクドライブ装置。
【請求項２】
上記シャーシには上記付勢手段となる緩衝部材が設けられ、当該緩衝部材の弾性力により、上記係合部と上記被係合部とが互いに係合する方向に上記シャーシを偏倚させるようにしたことを特徴とする請求項１に記載のディスクドライブ装置。
【請求項３】
上記移動機構は傾斜カム体から成り、上記シャーシの端面に上記傾斜カム体のカム溝に挿入係合するカムピンを突設し、上記付勢手段により、上記カムピンと上記カム溝とが互いに係合する方向に上記シャーシが偏倚されて、上記カムピンが上記カム溝に挿入保持されるようにしたことを特徴とする請求項１に記載のディスクドライブ装置。
【請求項４】
上記シャーシは、上記回転駆動機構及びピックアップ機構が搭載されるメインシャーシとこのメインシャーシに取付けられて、上記移動機構を構成する駆動プレートから成り、上記駆動プレートには、上記付勢手段となる緩衝部材が設けられ、当該緩衝部材の弾性力により、上記係合部と上記被係合部とが互いに係合する方向に上記駆動プレートを偏倚させるようにしたことを特徴とする請求項１に記載のディスクドライブ装置。
【請求項５】
上記メインシャーシはその基端部側で上記フレームに支持され、上記駆動プレートは上記メインシャーシの自由端部側で支持されることを特徴とする請求項４に記載のディスクドライブ装置。
【請求項６】
上記駆動プレートの端面にカムピンが突設されるとともに、当該カムピンには、球体状コロが嵌挿され、上記移動機構を構成する傾斜カム体のカム溝に上記球体状コロが係合され、上記カム溝の少なくとも下端部側の縁部には上記カムピンの脱落を防止するリブを設けたことを特徴とする請求項４に記載のディスクドライブ装置。
【発明の詳細な説明】
【０００１】
【発明の属する技術分野】
本発明は、光ディスク、光磁気ディスク等のディスク状記録媒体を記録及び／又は再生するディスクドライブ装置に関する。
【０００２】
【従来の技術】
ディスク状記録媒体としての例えばＣＤ，ＣＤ−ＲＯＭ，ＤＶＤ，ＨＤ−ＣＤ等の光ディスクのディスクドライブ装置は、装置本体に対して引出位置と収納位置との間を移動可能に設けられたディスクトレーが備えられている。このディスクドライブ装置としては、ディスクトレーに光ディスクを載置して装置本体内に収納移動させることにより、光ディスクは回転駆動位置まで移送、すなわち、ローディングされ、このローディングされた光ディスクに対してスピンドルモータ及びピックアップ等が移動対応されて、光ディスクはスピンドルモータに取付けられたターンテーブル上に中心部において載置されてチャッキングされた後、回転駆動されてピックアップにより光ディスクに記録された記録情報が読出され再生されるように構成したものが広く使用されている。
【０００３】
このように構成されたディスクドライブ装置は、スピンドルモータ、ピックアップ及びピックアップの移動駆動部材等はメインシャーシに搭載されている。このメインシャーシはフレームに、基端部である後端部においてインシュレータを介して上下方向に回動可能に取付けられ、このメインシャーシの自由端部である前端部に突設したカムピンをフレームに備えたシャーシ回動カム機構のカム溝に係合されている。
【０００４】
このシャーシ回動カム機構は、ディスクトレーの引出し、収納移動動作に連動して回転される。このディスクトレーの収納移動時のシャーシ回動カム機構の回転によりメインシャーシはカムピンを介して後端部を支点として上方へ回動されてスピンドルモータ及びピックアップが上昇される。このスピンドルモータの上昇動作によりターンテーブルがディスクトレー上の光ディスクをすくい上げるように載置してチャッキングすると共に、ピックアップも光ディスクの下面側、すなわち、記録面側に近接位置されて駆動部材による移動により光ディスクからの記録情報の読出し再生が行われる。
【０００５】
また、この光ディスクの読出し再生後の取出し、すなわち、アンローディング動作は、シャーシ回動カム機構を前述の場合と逆方向に回転させることにより、メインシャーシを下方へ回動させてスピンドルモータのターンテーブルをディスクトレーより下降位置させる。これにより光ディスクはターンテーブル上に載置され、この状態でディスクトレーを引出し動作させることにより、光ディスクを取出すことができるように構成されている。
【０００６】
【発明が解決しようとする課題】
以上のように構成されるディスクドライブ装置においては、ディスクのローディング、アンローディング動作において、スピンドルモータ、ピックアップ等を搭載したシャーシは昇降回動動作され、このシャーシはフレームに対して緩衝部材としてのインシュレータを介在してフレームに取付けているので、フレームからの振動の伝達等は緩和されることになるが、アンローディング時には、逆に揺動し易くなり、このため、シャーシを昇降回動動作させるシャーシ回動カム機構との係合が不安定になり、昇降回動動作に支障を来すおそれがある。
【０００７】
本発明はかかる点に鑑みてなされたもので、ディスク状記録媒体の回転駆動機構、ピックアップ機構を搭載したシャーシの不要な揺動及び移動機構との離脱を防止し、回転駆動機構及びピックアップ機構をディスクローディング位置に対して常に確実に近接、離間移動させることができてディスク状記録媒体の記録及び／又は再生を安定して確実に行うことができるようにしたディスクドライブ装置を提供することを目的とする。
【０００８】
【課題を解決するための手段】
上記目的を達成するために本発明は、ディスク状記録媒体の回転駆動機構及び記録情報の記録及び／又は再生を行うピックアップ機構を搭載したシャーシが、上記ディスク状記録媒体のローディング位置に対して移動機構により近接、離間移動されるようにフレームに取付けられて成るディスクドライブ装置であって、上記シャーシには、上記移動機構と係合する係合部が形成されるとともに、上記移動機構には、上記シャーシと係合する被係合部が形成され、上記シャーシに取付けられ、上記係合部と上記被係合部とが互いに係合する方向に上記シャーシを偏倚させる付勢手段を備えるように構成したものである。
【０００９】
また、本発明のディスクドライブ装置においては、シャーシには上記付勢手段となる緩衝部材が設けられ、当該緩衝部材の弾性力により、上記係合部と上記被係合部とが互いに係合する方向に上記シャーシを偏倚させるように構成したものである。
【００１０】
また、本発明のディスクドライブ装置においては、移動機構は傾斜カム体から成り、上記シャーシの端面に上記傾斜カム体のカム溝に挿入係合するカムピンを突設し、上記付勢手段により、上記カムピンと上記カム溝とが互いに係合する方向に上記シャーシが偏倚されて、上記カムピンが上記カム溝に挿入保持されるように構成したものである。
【００１１】
以上のように構成される本発明によるディスクドライブ装置は、回転駆動機構及びピックアップ機構等を搭載したシャーシは、これを移動駆動する移動機構方向へ偏倚されているので移動機構との係合部の不要の離脱が防止されて移動機構の動作が常に確実に伝達される。
【００１２】
特に、移動機構を回転傾斜カム体により構成し、このカム溝にシャーシ側に突設したカムピンを係合させて、シャーシに回転傾斜カム体の動作を伝達させる構成においては、シャーシが回転傾斜カム体側に偏倚されることにより、カム溝からのカムピンの脱落が防止されてシャーシは常に確実に移動動作されてディスク状記録媒体の記録及び／又は再生が行われる。
【００１３】
【発明の実施の形態】
以下、本発明によるディスクドライブ装置の実施の形態例を図面を参照して説明する。本例のディスクドライブ装置は、ディスクを載置保持するディスクトレーの摺動動作により、ディスクのローディングを行い、ディスク回転駆動機構をディスクトレーに対して近接、離間移動として昇降動作するよう構成したもので、ＣＤやＣＤ−ＲＯＭ等の標準密度ディスク及びＤＶＤやＨＤ−ＣＤ等の高密度ディスクの両方の光学ディスクを情報記録媒体として用いることができる。
【００１４】
まず、図１０及び図１１に示すように、本例のディスクドライブ装置１の外装は、偏平状で前面が開口した箱型の外装体２と、この外装体２の開口部に嵌合固定されたフロントパネル３から構成されている。フロントパネル３にはディスクトレー４が出し入れ可能に挿入されるトレー出入口３ａが形成され、このトレー出入口３ａは、ディスクトレー４が外装体２内に挿入された状態でそのフロントプレート４ａにより閉じられる。またフロントパネル３には、ディスクトレー４を排出操作するイジェクト釦５等が備えられている。外装体２の材質としては、鋼板、フロントパネル３及びディスクトレー４の材質としてはＡＢＳ樹脂等の合成樹脂が好適であるが、外装体２を合成樹脂により、また、ディスクトレー４を金属、例えばアルミニウム合金等で形成できる。
【００１５】
次に、本例のディスクドライブ装置１の各機構の構成を図１〜図９を参照して説明する。図１及び図１１に示すように、ディスクトレー４はほぼ平板状で前半側の上面には、ＣＤやＤＶＤ等の光ディスクＤを水平に載置して収容することができる凹皿状のディスク収容部１１が形成されている。このディスク収容部１１の中央部からトレーセンタに沿って後方へ長い開口部１２が形成され、この開口部１２の後端部は連結面部１３により連結されている。
【００１６】
また、ディスク収容部１１の周縁部には、ディスクドライブ装置１を縦位置で使用する場合、ディスクローディングの際に光ディスクＤがディスク収容部１１からの脱落を防止するためにディスク保持片１４を偏心回転可能に取付けてある。このディスク保持片１４を回転することにより、この先端部がディスク収容部１１の内側に突出し、収容される光ディスクＤの周面に対応し、光ディスクＤを係止保持することになる。
【００１７】
また、このディスクトレー４の裏面側には図示せずも、公知のディスクトレーと同様に、一側部側に前後方向に、後述するローディング駆動機構の駆動ギヤと噛み合うＪ形のラックとこのラックに沿い駆動ギヤをガイドするガイド溝が形成され、さらに両側部には前後方向にガイドレールが形成されている。このように構成されるディスクトレー４は外装体２内に内蔵固定されるフレーム１５に前後方向に摺動可能に挿入支持される。
【００１８】
このフレーム１５には図２及び図３に示すように、ローディング駆動機構２０、ディスク回転駆動機構３０及び光学ピックアップ機構４０が配設されている。
【００１９】
このフレーム１５は、本例では合成樹脂による成形体であって、底面部１５ａがやや上方に位置する四角形筐体状に形成されて、フロントパネル３に臨む前面部はトレー出入口３ａに対応して開放部１６として形成され、底面部１５ａには中央部に開口部１７が形成されている。この底面部１５ａの開口部１７を挟む両側縁面部１５ａ1 及び１５ａ2 には、ディスクトレー４のガイドレールが係合し位置規制される複数のトレーガイド１８ａが前後方向に所要間隔で突出形成されている。また両側壁部１５ｂ，１５ｃの内面には複数のトレー押えガイド１８ｂが所要間隔で突出形成され、更に内面前端部側には、ディスクトレー４のストッパー１９が横方向の弾性を保有させて形成されている。
【００２０】
このフレーム１５に対してディスクトレー４は、トレーガイド１８ａとトレー押えガイド１８ｂとにより案内されて前後方向（図２においてＸ矢印方向）に摺動し、前面開放部１６を介してフロントパネル３のトレー出入口３ａから出し入れされ、最前部まで摺動された状態でストッパー１９により係止されて抜脱が防止される。
【００２１】
そして、このフレーム１５の底面部１５ａの前側縁面部１５ａ3 には、ディスクトレー４を前後方向に摺動、すなわち、ローディング動作及びアンローディング動作を行うためのローディング機構２０が配設されている。このローディング機構２０は、図２及び図３に示すように、フレーム１５に固定されるローディングモータ２１と、このローディングモータ２１によって正逆方向に回転駆動される駆動ギヤ２２と、この駆動ギヤ２２の支持軸２２ａが立設され、且つフレーム１５にローディングモータ２１の固定部の近傍に位置して立設された支点軸２３ａに首振り運動可能に軸支されたギヤレバー２３と、このギヤレバー２３に設けた部分ギヤ２３ｂに噛み合う部分ギヤ２４ｂを有し、且つフレーム１５の前縁面部１５ａ3 のほぼ中央部に立設された支点軸２４ａを中心に回転されるカムレバー２４等から構成される。カムレバー２４には後述するディスク回転駆動機構３０及び光学ピックアップ機構４０を昇降動作させる傾斜カム体２５が設けられている。また、ローディングモータ２１の回転軸に固定された駆動プーリ２１ａは、動力伝達媒体としてのゴムベルト２６を介して、前述した支点軸２３に軸支した従動プーリ２７と動力伝達可能に連結されている。この従動プーリ２７の回転力が中間ギヤ２８を介して駆動ギヤ２２に伝達されるようになっており、この駆動ギヤ２２は、ディスクトレー４の図示しないＪ形のラックに噛み合されると共に、支持軸２２ａがガイド溝に摺動可能に嵌合される。
【００２２】
このように構成されるローディング機構２０により、ディスクトレー４のローディング時は、ローディングモータ２１によって正回転駆動される駆動ギヤ２２でディスクトレー４のＪ形ラックの直線部をディスクトレー４の後部側から前部側へ向けて直線的に移動させることにより、ディスクトレー４を外装体２内、すなわち、フレーム１５内に水平に引き込むことができる。そして、駆動ギヤ２２を引き続き正回転駆動させることにより、駆動ギヤ２２は、ディスクトレー４のラックの円弧部に沿って円弧状に移動され、この駆動ギヤ２２の円弧運動によってギヤレバー２３に首振り運動が生じる。
【００２３】
このギヤレバー２３の首振り運動によって部分ギヤ２３ｂからカムレバー２４の部分ギヤ２４ｂに回転力が伝達され、カムレバー２４は、支点軸２４ａを中心に図２において時計方向（図２において二点鎖線から実線方向）に回転駆動される。これにより、カムレバー２４の傾斜カム体２５も一体に回転駆動されて、ローディング動作完了後のディスクトレー４の前部の下面側に対応される。また、このカムレバー２４の傾斜カム体２５の回転駆動により、後述するようにディスク回転駆動機構３０及び光学ピックアップ機構４０がディスクローディング完了位置である動作位置まで上昇される。
【００２４】
ディスク回転駆動機構３０は、図２及び図３に示すように構成されている。
このディスク回転駆動機構３０は、スピンドルモータ３１と、このスピンドルモータ３１の回転軸の上端に水平状に固着されたターンテーブル３２とを有し、スピンドルモータ３１を可動シャーシ３３に固定して構成されている。
【００２５】
この可動シャーシ３３は、前述したフレーム１５の底面部１５ａの開口部１７に対して出入り可能な大きさで外形がほぼ四辺形の平板枠状で、中央部に開口部３４が形成されてこの開口部３４の前縁側の前面部３３ａに、その中央部に位置してスピンドルモータ３１が固定され、また、後面部３３ｂの両側にインシュレータ取付部３５ａ，３５ｂが設けられている。このインシュレータ取付部３５ａ，３５ｂは後方に切欠された円形孔になっている。
【００２６】
そして、この可動シャーシ３３には、開口部３４の一側縁側の側面部３３ｃに光学ピックアップ機構４０を移動駆動するキャリッジ移動駆動機構５０が取付けられている。このキャリッジ移動駆動機構５０は、図２及び図３に示すように、キャリッジ駆動モータ５１と、このキャリッジ駆動モータ５１によって正逆方向に回転駆動される駆動ギヤ５２と、この駆動ギヤ５２とキャリッジ駆動モータ５１との間を動力伝達可能に連結する中間ギヤ５３ａ，５３ｂとから構成されて、駆動ギヤ５２が光学ピックアップ機構４０の後述するキャリッジのラックに噛み合されることになる。
【００２７】
また、可動シャーシ３３には開口部の後縁側の後面部３３ｃに光学ピックアップ機構４０のスキューを調整するスキュー調整駆動機構６０が取付けられている。このスキュー調整駆動機構６０は、駆動モータ６１と、この駆動モータ６１によって正逆方向に回転駆動されるカムギヤ６２とから構成されて、カムギヤ６２には偏心カム溝６３が形成されている。この、カムギヤ６２のカム溝６３に光学ピックアップ機構４０の支持部材としての後述する搖動シャーシの操作部材が係合することになる。
【００２８】
光学ピックアップ機構４０は、図１〜図３に示すように構成されている。この光学ピックアップ機構４０は、前述のようにＣＤやＣＤ−ＲＯＭ等の標準密度ディスク用の光学ピックアップ４１と、ＤＶＤやＨＤ−ＣＤ等の高密度ディスク用の光学ピックアップ４２とを有し、この両光学ピックアップ４１と４２は、互いに対物レンズ４１ａと４２ａを近接させてキャリッジ４３に取付けると共に、このキャリッジ４３にスキューセンサ４４を取付けて構成されている。
【００２９】
キャリッジ４３は、一側部に軸受部４３ａが設けられ、他側部には係合摺動部４３ｂが設けられて、軸受部４３ａにはガイド軸４５が摺動可能に挿通されている。更にキャリッジ４３には、軸受部４３ａの外側に位置して、ガイド軸４５と平行にラック４６が取付けられている。
【００３０】
そして、このように、光学ピックアップ４１，４２とスキューセンサ４４を搭載したキャリッジ４３は、前述した可動シャーシ３３よりやや小形で、中央部に開口部４７を形成した揺動シャーシ４８に前後方向に移動可能に支持されている。すなわち、揺動シャーシ４８に、開口部４７の一側縁部に沿って前後方向にガイド軸４５を掛け渡し、開口部４７の他側縁部にキャリッジ４３の係合摺動部４３ｂを係合することにより、キャリッジ４３は、揺動シャーシ４８に対してその開口部４７内において前後方向に移動可能に支持されている。
【００３１】
この揺動シャーシ４８は、両側部のほぼ中央、詳しくは、中央よりやや前側に位置して軸ピン４９ａ，４９ｂを横方向に突設してあり、この揺動シャーシ４８を可動シャーシ３３に、下面側に対応させて軸ピン４９ａ，４９ｂにより軸支し、光学ピックアップ４１，４２及びスキューセンサ４４を含むキャリッジ４３の上面側が可動シャーシ３３の開口部３４に臨ませてある。このように、揺動シャーシ４８を可動シャーシ３３に軸支することにより、キャリッジ４３に取付けたラック４６が可動シャーシ３３に取付けたキャリッジ移動駆動機構５０の駆動ギヤ５２に噛み合される。また揺動シャーシ４８には、後端のほぼ中央に操作部材としての操作ピン４９ｃが後方へ向けて突設されて、可動シャーシ３３の後部に取付けたスキュー調整駆動機構６０のカムギヤ６２のカム溝６３に係合されている。
【００３２】
なお、このように可動シャーシ３３に軸ピン４９ａ，４９ｂにより軸支された揺動シャーシ４８は、図示しない引張りコイルスプリング、ワッシャ等の偏倚部材により可動シャーシ３３に対して一側方向に偏倚させて、軸ピン４９ａ，４９ｂの軸方向のがたつきを防止するようにしてある。
【００３３】
このように揺動シャーシ４８を軸支した可動シャーシ３３には、前部の上面側に昇降駆動プレート７０が取付けられている。この昇降駆動プレート７０の両側面７０ａ及び７０ｂには前後方向に所要間隔で突子７１ａ，７１ｂ及び７１ｃ，７１ｄが横方向に突設され、また、前端面７０ｃのほぼ中央部にはカムピン７２が前方向に突設されている。そして、この昇降駆動プレート７０は、可動シャーシ３３の前部の上面側にゴム等の弾性材によって形成されたマウントインシュレータ７３を介して止めねじ７４により取付けられている。
【００３４】
このように昇降駆動プレート７０を可動シャーシ３３に取付けるには、図２及び図３に示すように、マウントインシュレータ７３と止めねじ７４を一対ずつ用いている。このマウントインシュレータ７３は、前述のようにゴム等の弾性材によって形成されるもので、図４に示すように、中空状で中央部にくびれ部７３ａを有するいわゆるひょうたん形状に形成され、また、止めねじ７４は、雌ねじを有する基部７４ａと雄ねじを有する締付部７４ｂとから形成されている。
【００３５】
この止めねじ７４は、可動シャーシ３３の自由端部側である前部の両側部にその基部７４ａを植立固定し、一方、マウントインシュレータ７３は昇降駆動プレート７０の両側部に穿設されたインシュレータ嵌合孔７０ｄにそのくびれ部７３ａにおいて嵌合する。そして可動シャーシ３３と昇降駆動プレート７０とは、図４に示すように、昇降駆動プレート７０側のマウントインシュレータ７３を可動シャーシ３３側の止めねじ７４の基部７４ａに下口部７３ｂ側から嵌挿し、この状態で上口部７３ｃ側から止めねじ７４の締付部７４ｂを挿入して基部７４ａに螺合して締付けることにより連結している。
【００３６】
本例においては、図５に示すように、昇降駆動プレート７０に穿設されるインシュレータ嵌合孔７０ｄは、その孔中心ａを可動シャーシ３３に植立固定する止めねじ７４の基部７４ａの固定中心ｂより後方へ所要間隔ｗで後方へずらせて穿設してある。
【００３７】
このようにインシュレータ嵌合孔７０ｄを穿設した昇降駆動プレート７０を前述のように可動シャーシ３３に連結することにより、昇降駆動プレート７０は、可動シャーシ３３に対して図４に示すように、インシュレータ嵌合孔７０ｄの孔中心ａが可動シャーシ３３の止めねじ７４の固定中心ｂに一致するように間隔ｗだけ前方へ移動した状態で連結される。
【００３８】
また、昇降駆動プレート７０の前端面７１ｃに突設されているカムピン７２は図６に示すように、前端部が細径で先端に頭部７２ａを有する段付ピンであって、元部にはガイド体７５が固定されており、このカムピン７２には、例えば、ポリオキシメチル（ＰＯＭ）等の弾性を保有する樹脂材により形成した球形状コロ７６が回転可能に嵌合されている。この球形状コロ７６の軸孔７６ａの先端側には割り溝７６ｂを形成して、カムピン７２に対して先端側から嵌挿係合、いわゆるパッチン止めの状態で嵌合できるようにしてあり、またこの球形状コロ７６は、カムピン７２が段付ピンであるため嵌合状態では軸方向へは摺動されない。
【００３９】
以上のようにして、揺動シャーシ４８を軸支し、昇降駆動プレート７０を連結した可動シャーシ３３は、後面部３３ｂにインシュレータ取付部３５ａ，３５ｂにおいて、前述したフレーム１５の底面部１５ａの後側縁面部１５ａ4 にマウントインシュレータ７３を介して止めねじ７４により止着して開口部１７に対応させてある。また、可動シャーシ３３に連結された昇降駆動プレート７０は、フレーム１５に、両側面７０ａ及び７０ｂの前後の突子７１ａ，７１ｂ及び７１ｃ，７１ｄをフレーム１５の両側縁面部１５ａ1 及び１５ａ2 の前側に形成した係合溝１５ｄ，１５ｅ及び１５ｆ，１５ｇに係合させて、前部の突子７１ａ及び７１ｃと前部の上下方向の係合溝１５ｄ及び１５ｆとの係合により前後方向の位置決めが行われ、後部の突子７１ｂ及び７１ｄと後部の前後方向の係合溝１５ｅ及び１５ｇとの係合部を支点として上下方向に回動するように支持させてある。
【００４０】
このように可動シャーシ３３に連結された昇降駆動プレート７０をフレーム１５に各突子７１ａ，７１ｂ及び７１ｃ，７１ｄと係合溝１５ｄ，１５ｅ及び１５ｆ，１５ｇの係合により支持させた状態では、昇降駆動プレート７０は可動シャーシ３３に対して後方へ移動位置されることになる。この状態においては、図７に示すように可動シャーシ３３と昇降駆動プレート７０との間に介在されるマウントインシュレータ７３が止めねじ７４とインシュレータ嵌合孔７０ｄの前縁部との間において径方向に弾性圧縮される。
【００４１】
これにより、昇降駆動プレート７０は、可動シャーシ３３に対し、マウントインシュレータ７３の弾性復元力により前方へ弾性偏倚される状態で支持されることになり、この昇降駆動プレート７０の前端面７０ｃに突設されているカムピン７２はフレーム１５の前側縁面部１５ａ3 に備えられたカムレバー２４の傾斜カム体２５のカム溝２５ａに深く挿入されることになり、このカムピン７２に嵌合された球形状コロ７６は傾斜カム体２５のカム溝２５ａに確実に転接される。
【００４２】
また、昇降駆動プレート７０の前端面７０ｃのカムピン７２は、フレーム１５の前側縁面部１５ａ3 に立設したガイド体７７の上下方向のガイド長孔７７ａに挿通して元部のガイド体７５を嵌挿係合させて横方向の位置決めとしてあり、このカムピン７２の先端部の球形状コロ７６を、前述したカムレバー２４の傾斜カム体２５のカム溝２５ａに嵌挿して転接される。
【００４３】
このように、昇降駆動プレート７０は、前端面のカムピン７２が球形状コロ７６を介してカムレバー２４の傾斜カム体２５のカム溝２５ａに摺接し、この傾斜カム体２５の回転に伴いカム溝２５ａに沿って移動することにより、フレームに対して後側の突子７１ｂ，７１ｄと後部の係合溝１５ｅ，１５ｇとの係合部を支点として上下方向に回動される。この昇降駆動プレート７０の回動に伴い可動シャーシ３３がフレーム１５に対して後端部のマウントインシュレータ７３を介する取付部を支点として回動されて前述したディスク回転駆動機構３０及び光学ピックアップ機構４０を昇降動作させる。
【００４４】
この昇降駆動プレート７０は、この回動において、下方へ回動した状態では、前側の突子７１ａ，７１ｃはフレーム１５の前部の位置決め用の係合溝１５ｄ，１５ｆから下方へ外れるため、可動シャーシ３３の下方への回動に伴い後方へ引かれる状態になるが、前述のように昇降駆動プレート７０は可動シャーシ３３に対して前方へ弾性偏倚されているため、図７に二点鎖線で示すように後方へはほとんど移動されず、そのため、カムピン７２は傾斜カム体２５のカム溝２５ａからの抜脱が防止されて、可動シャーシ３３は昇降駆動プレート７０を介して傾斜カム体２５の回転により常に確実に上下回動される。
【００４５】
以上の構成においては、可動シャーシ３３を昇降させる昇降駆動プレート７０を可動シャーシ３３に対して前方へ弾性偏倚するように取付けて、カムピン７２が傾斜カム体２５のカム溝２５ａからの脱落するのを防止するように構成されているが、昇降駆動プレート７０は可動シャーシ３３に通常の取付位置においてマウントインシュレータ７３を介して取付けて、可動シャーシ３３をフレーム１５に対して前方へ弾性偏倚するように取付けることにより、カムピン７２の傾斜カム体２５のカム溝２５ａからの脱落を防止することができる。
【００４６】
この場合は、シャーシ３３をその後端部においてフレーム１５に取付ける取付部を、前述した可動シャーシ３３に対する昇降駆動プレート７０の取付部と同様に構成する。すなわち、可動シャーシ３３の後端部に形成され、フレーム１５の後部に締付け固定される止めねじ７４に取付けられるマウントインシュレータ７３が嵌合されるインシュレータ嵌合孔３３ｄを、その中心位置を止めねじ７４の固定中心位置より後方へ所要間隔でずらして形成する。
【００４７】
これにより、可動シャーシ３３を、インシュレータ嵌合孔３３ｄにマウントインシュレータ７３を嵌合してこのマウントインシュレータ７３を介してフレーム１５に止めねじ７４により締付けて取付けることにより、前述した可動シャーシ３３に対して昇降駆動プレート７０を取付けた場合と同様に、可動シャーシ３３が水平位置に回動し、昇降駆動プレート７０が、前部突子７１ａ，７１ｃがフレーム１５側の前部係合溝１５ｄ，１５ｆに係合し、前後に位置決めされた状態ではマウントインシュレータ７３がインシュレータ嵌合孔３３ｄの前縁側と止めねじ７４の間において弾性圧縮されることになる。また、昇降駆動プレート７０が可動シャーシ３３と共に下降回動され、前部突子７１ａ，７１ｃが前部係合溝１５ｄ，１５ｆから下方へ外れることにより、可動シャーシ３３は、マウントインシュレータ７３の復元弾力により前方へ押圧されて前方へ偏倚され、昇降駆動プレート７０の前端面のカムピン７２は傾斜カム体２５のカム溝２５ａからの脱落が防止されて球形状コロ７６はカム溝２５ａの下段水平部２５ａ3 に転接保持されてシャーシ３３の次の上昇動作を確実に行うことができる。
【００４８】
また、フレーム１５に対する可動シャーシ３３の取付け及び可動シャーシ３３に対する昇降駆動プレート７０の取付けを通常のように互いの取付け中心を一致させて行い、可動シャーシ３３をフレーム１５に対して引張りコイルスプリング等の弾性付勢部材の付勢力により前方へ弾性偏倚させるようにしてもよい。この場合の弾性付勢部材の付勢力はマウントインシュレータ７３の弾力より大に設定することになる。
【００４９】
このようにシャーシ３３を弾性付勢部材により前方へ偏倚させるように構成しても前述した各例の場合と同様に昇降駆動プレート７０の前端面のカムピン７０は傾斜カム体２５のカム溝２５ａからの不要な脱落が防止され、可動シャーシ３３は常に確実に昇降動作される。
【００５０】
また、図７〜図９に示すように、カムレバー２４の傾斜カム体２５のカム溝２５ａは、カムレバー２４の内周部側に支点軸２４ａを中心に平面視円弧状に形成されて上段水平部２５ａ1 、中間傾斜部２５ａ2 及び下段水平部２５ａ3 を有している。そして、この傾斜カム体２５のカム溝２５ａの下段水平部２５ａ3 は上段水平部２５ａ1 に比してカムレバー２４の周方向に長く形成されており、この下段水平部２５ａ3 の上下縁部、少なくとも、この下段水平部２５ａ3 の後半部の上下縁部にリブ２５ｂ1 ，２５ｂ2 を上下に対向して突出形成してある。このカム溝２５ａのリブ２５ｂ1 ，２５ｂ2 は、下段水平部２５ａ3 の上下周面より外方へ突出するように形成されて、この下段水平部２５ａ3 の幅を上段水平部２５ａ1 及び中間傾斜部２５ａ2 とほぼ同幅に確保されるようになっている。
【００５１】
このように、カムレバー２４の傾斜カム体２５のカム溝２５ａには、下段水平部２５ａ3 の上部縁部にリブ２５ｂ1 ，２５ｂ2 が突出形成されているので昇降駆動プレート７０のカムピン７２が球形状コロ７６を介してカム溝２５ａの上段水平部２５ａ1 から中間傾斜部２５ａ2 に転接して下段水平部２５ａ3 に転接された状態、すなわち、昇降駆動プレート７０が下方へ回動された状態においてカムピン７２がカム溝２５ａの下段水平部２５ａ3 から抜脱状態になっても球形状コロ７６が下段水平部２５ａ3 の上下縁部のリブ２５ｂ1 ，２５ｂ2 に引掛る状態になって抜脱が防止され、シャーシ３３は昇降駆動プレート７０を介して傾斜カム体２５の回転により常に確実に上下回動される。
【００５２】
また、図１及び図３に示すように、フレーム１５の上部開口には、ディスクトレー４の上方を横切るようにクランパー支持板８１が水平に架設されており、このクランパー支持板８１の両端はフレーム１５の左右両側板に固定されている。クランパー支持板８１の中央部には、ターンテーブル３２の真上に位置するようにディスククランパー８２が、上下、左右及び前後にそれぞれ一定の範囲内で移動自在に保持されている。そして、ディスククランパー８２の中央にはマグネット８３が取り付けられており、このマグネット８３がターンテーブル３２の中心ボス部３２ａに吸着力で吸着されることにより、光ディスクＤがターンテーブル３２上に水平にマグネットチャッキングされる。
【００５３】
以上のように構成されるディスクドライブ装置１は、ローディング駆動機構２０の動作により外装体２のフロントパネル３のトレー出入口３ａから引き出されるディスクトレー４のディスク収容部１１に光ディスクＤを収納して、ローディング動作させると、ディスクトレー４が外装体２、すなわち、フレーム１５内に引き込み移動される。この動作に伴い前述のようにカムレバー２４が回転されて、傾斜カム体２５のカム溝２５ａの下段部に位置していた、カムピン７２は球形状コロ７６を介してカム溝２５ａに沿って上方へ押上げられる。この際、球形状コロ７６はカムピン７２に対して円滑に回転されて押上げが、円滑に行われることになる。
【００５４】
これにより、昇降駆動プレート７０は後部の突子７１ｂ及び７１ｄの係合部を支点として上方に回動されてこれに伴い可動シャーシ３３は後部のフレーム１５に対するマウントインシュレータ７３を介しての取付部を支点として上方へ回動される。この可動シャーシ３３の上方への回動によりディスク回転駆動機構３０及び光学ピックアップ機構４０が上昇されて、引込み動作が完了した状態のディスクトレー４上の光ディスクＤはターンテーブル３２にすくい上げられるように載置されてディスクトレー４から離れ、ターンテーブル３２上にディスククランパー８２によりチャッキングされる。
【００５５】
この状態でディスク回転駆動機構３０が駆動して、ターンテーブル３２の回転により光ディスクＤが回転されると共に、光学ピックアップ機構４０が作動して光ディスクＤの記録情報が読み出され又は書き込みが行われる。
【００５６】
この光ディスクＤの記録情報の読み出し又は書き込みモードにおいて、スキューセンサ４４によって光ディスクＤに対する光学ピックアップ機構４０の光学ピックアップ４１又は４２の対物レンズ４１ａ又は４２ａの傾きを検出する。このスキューセンサ４４からの検出出力に基づいて、スキュー調整駆動機構６０の駆動モータ６１によって正逆回転駆動されるカムギヤ６２が光学ピックアップ機構４０を搭載した揺動シャーシ４８の操作ピン４９ｃを上方又は下方に押して、揺動シャーシ４８を上下方向に揺動調整する。
【００５７】
そして、光学ピックアップ４１又は４２の対物レンズ４１ａ又は４２ａの傾き調整によって、対物レンズ４１ａ又は４２ａのレーザービームの光軸が光ディスクＤに対して垂直（９０°）となるようなスキュー調整が行われる。この状態で、光ディスクＤの記録情報の読み出し又は書き込みが行われることになり、記録情報の高密度、高精度の読み出し又は書き込みを行うことができる。
【００５８】
以上のようにして光ディスクＤの記録情報の読み出し又は書き込みが行われるが、この状体、すなわち、光ディスクＤがディスク回転駆動機構３０のターンテーブル３２上に載置、チャッキングされて回転されている状態では、ディスクトレー４は、フレーム１５内に引き込まれて、両側縁部において底面部１５ａとトレー押えガイド１８ｂとにより上下から挟まれた状態で保持されている。
【００５９】
しかし、この状態ではディスクトレー４の両側縁部の上面側とフレーム１５側のトレー押えガイド１８ｂとの間には多少の間隙があるため、ディスクトレー４はフレーム１５に対してがたつきが生じることになるので、本例のディスクドライブ装置１においては、ディスクトレー４をフレーム１５に対して固定状に保持できるようにしてある。
【００６０】
すなわち、本例においては、フレーム１５に軸支されるカムレバー２４に設けた傾斜カム体２５の上面に突子９１を突設して、ディスクトレー４の下面側に突上げるように当接させてディスクトレー４を上方へ押圧し、その両側縁部の上面側をフレーム１５側のトレー押えガイド１８ｂに圧接させて保持するように構成してある。
【００６１】
この突子９１は、傾斜カム体２５の上面に一体に突設することができ、また、突子９１を金属又は合成樹脂により形成して傾斜カム体２５の上面に固定してもよい。そして、この突子９１は球形状であることが好ましい。
【００６２】
このように傾斜カム体２５の上面に突子９１を突設することにより、ディスクトレー４をフレーム１５内に挿入された状態では突子９１がディスクトレー４の下面に突上げ状に当接してディスクトレー４をトレー押えガイド１８ｂに圧接させてがたを防止できる。この結果、ディスク回転駆動機構３０の駆動による光ディスクＤの回転により発生する振動や光学ピックアップ機構４０のシークにより発生する振動でディスクトレー４が振動することを防止し、光ディスクＤの記録情報の読み出し又は書き込み時に光ディスクＤとディスクトレー４の干渉やノイズ発生等のトラブルを無くすことができる。
【００６３】
そして、光ディスクＤのアンローディング時におけるディスクトレー４の引き出し動作においては、カムレバー２４の傾斜カム体２５に対して、ディスクトレー４の開口部１２が対応するのでディスクトレー４は、突子９１による抵抗を受けることなく、円滑に引出し動作される。
【００６４】
また、この突子９１をディスクトレー４の下面側に突設して傾斜カム体２５の平坦な上面に当接させるように構成することもできる。この場合もディスクトレー４は、傾斜カム体２５に対応した状態で突子９１を介して押上げられる状態になって、前述のようにフレーム１５側のトレー押えガイド１８ｂに圧接されて保持され、前述と同様の作用効果を奏することになる。
【００６５】
以上、本発明の実施の形態例を説明したが、本発明は上記実施例に限定されるものではなく、実施例においてはＣＤやＣＤ−ＲＯＭ等の光ディスクを情報記録媒体とした例について説明したが、ＭＯ等の光磁気ディスクを情報記録媒体として記録及び／又は再生する各種の光磁気ディスク装置に適用することができる。更に、上記実施例では、光学ディスクＤに記録された情報の再生（読み取り）を行うディスクトレー方式の光ディスク装置について説明したが、情報の記録のみを行う記録専用装置に適用できることは勿論のこと、情報の記録及び再生の両方を行うことができる光ディスク装置に適用することもできる。
【００６６】
また、前述した構成においてディスク回転駆動機構３０の可動シャーシ３３と光学ピックアップ機構４０の揺動シャーシ４８とを一体化して構成してもよく、また、昇降駆動プレート７０も一体化した構成としてもよい。更にローディング機構２０及び昇降カム機構の構成も前述した実施例のものに限ることなく前述した動作と同様の動作を行うようにした構成であればよい。
【００６７】
また、上記実施例ではＣＤ等の光学ディスクＤを裸の状態で使用する例について説明したが、光学ディスクＤをディスクカートリッジの内部に収納してローディング及びイジェクトするようにしたものであってもよい。このように、本発明は、上述した実施例に限定されるものではなく、その趣旨を逸脱しない範囲で種々変更できるものである。
【００６８】
【発明の効果】
以上のように本発明によれば、ディスク状記録媒体の回転駆動機構、ピックアップ機構等を搭載したシャーシが緩衝部材を介してフレームに取付けられ、ディスク状記録媒体の回転駆動位置であるローディング位置に対して移動機構により移動及び復帰動作させてディスク状記録媒体の記録及び／又は再生を行うディスクドライブ装置であって、シャーシをフレームに対して移動機構側へ偏倚させるように構成したことにより、シャーシは移動機構に対して確実に係合保持されて、常に確実に移動動作され、ディスク状記録媒体の記録及び／又は再生を確実に行うことができる。特に、シャーシがディスク状記録媒体のローディング位置から離れ、位置決めが解除された状態においても、移動機構からの脱落が防止されて常に確実に移動動作され、ディスク状記録媒体の記録及び／又は再生を確実に行えることができて信頼性が向上する。
【００６９】
また、シャーシの移動機構は回転カム部材から形成し、シャーシ側に突設した支持ピンに転動可能に取付けた転子が転接する回転カム部材のカム溝には、縁部に対向してリブを突設したことにより、このリブによりシャーシ側の転子の脱落が防止されてシャーシは常に確実に回転カム部材の回転に連動して動作、すなわち、基端部を支点として回動動作し、ディスク状記録媒体の記録及び／又は再生を確実に行うことができる。
特に、本発明は、高速回転するＤＶＤやＨＤ−ＣＤ等の高密度ディスクのディスクドライブ装置に適用してその効果が大である。
【図面の簡単な説明】
【図１】本発明によるディスクドライブ装置の一例の内部構造を示す斜視図である。
【図２】図１に示すディスクドライブ装置の本体部の平面図である。
【図３】図１に示すディスクドライブ装置の本体部の分解斜視図である。
【図４】図１に示すディスクドライブ装置の可動シャーシと昇降駆動プレートとの連結状態を示す断面図である。
【図５】図４に示す昇降駆動プレートの平面図である。
【図６】図４及び図５に示す昇降駆動プレートに取付けるカムピン部の分解斜視図である。
【図７】図１に示すディスクドライブ装置の要部の拡大断面図である。
【図８】図１に示すディスクドライブ装置のカム機構部の拡大図である。
【図９】図１に示すディスクドライブ装置に備えるカムレバーの傾斜図である。
【図１０】ディスクドライブ装置の外観を示す斜視図でディスクトレーが収納された状態である。
【図１１】同、ディスクトレーが引出された状態の一部省略した斜視図である。
【符号の説明】
４  ディスクトレー、１５  フレーム、２０  ローディング機構、２４  カムレバー、２５  傾斜カム体、２５ａ  カム溝、２５ｂ1 ，２５ｂ2   リブ、３０ディスク回転駆動機構、３１  スピンドルモータ、３２  ターンテーブル、４０  光学ピックアップ機構、３３  可動シャーシ、７０  昇降駆動プレート、７０ｄ  インシュレータ嵌合孔、ａ  孔中心、７２  カムピン、７３  マウントインシュレータ、７４  止めねじ、ｂ  固定中心、７６  球形状コロ
【図１】
0003951338.tif 000002
【図２】
0003951338.tif 000003
【図３】
0003951338.tif 000004
【図４】
0003951338.tif 000005
【図５】
0003951338.tif 000006
【図６】
0003951338.tif 000007
【図７】
0003951338.tif 000008
【図８】
0003951338.tif 000009
【図９】
0003951338.tif 000010
【図１０】
0003951338.tif 000011
【図１１】
0003951338.tif 000012